(57)【特許請求の範囲】
【請求項１】
前面に鍵孔が開口されている内筒と、この内筒の鍵孔に挿し込み方向が同一に規制されて挿し込まれる複数の棒形のキーと、また上記の鍵孔に挿し込まれるキーコード変換用の棒形のチェンジキーとを備え、上記の鍵孔の奥に、鍵孔に挿し込まれたチェンジキーの先端部と係合する孔を内筒の軸心位置に有してチェンジキーの回転操作で軸心を中心に一定角度づつ断続回転するリング状のプレートが設けられているキーコード変換式シリンダ錠であって、上記のプレートの後側に、後方に向かって先細り状の円錐状部材がバネでプレートの後面に押し付けられて内筒と軸心を同一にして設けられ、この円錐状部材のテーパー面に内端が当接する内側ピンが、内筒の後端部に軸心と直交状に形成されている孔に収納され、この内側ピンの外端に内端が当接する外側ピンが内筒を覆う外筒に上記の孔と連通して延長状に形成されている連通孔に収納され、この外側ピンの外端側の上記の連通孔内に外側ピンと内側ピンを内方に弾発するコイルバネが収納され、上記の棒形のキーの先端部とリング状のプレートの孔とが係合可能に形成され、リング状のプレートの孔を介して上記の棒形のキーが挿し込まれ、円錐状部材がバネの弾発力に抗して後方に押し込まれて内側ピンの内端が円錐状部材のテーパー面から外れると、内側ピンと外側ピンの接触位置が内筒と外筒のシェアーラインに一致して内筒が回転可能に形成されていることを特徴とするキーコード変換式シリンダ錠。
【請求項２】
請求項１記載のキーコード変換式シリンダ錠であって、円錐状部材が後方に移動して内筒の後端部の内面に当接すると、内側ピンの内端が円錐状部材のテーパー面から外れる位置に内側ピンが位置決めされて設けられていることを特徴とするキーコード変換式シリンダ錠。
【請求項３】
請求項１又は２記載のキーコード変換式シリンダ錠であって、内側ピンと外側ピンとでなる一組の組み合わせが、円錐状部材の軸心回りに、軸心の延長方向において位置がずらされて複数設けられていることを特徴とするキーコード変換式シリンダ錠。
【発明の詳細な説明】
【技術分野】
【０００１】
本発明はシリンダ錠に関し、更に詳しくはチェンジキーでキーコードを変換し、シリンダ錠自体を変えることなく鍵違いを簡単に作ることができるよう形成したキーコード変換式シリンダ錠に関するものである。
【背景技術】
【０００２】
従来この種のシリンダ錠としては、本出願人の提案に係る特許文献１に記載のものがある。この従来品は、前面に鍵孔が開口されている内筒と、この内筒の鍵孔に挿し込み方向が同一に規制されて挿し込まれる複数の棒形のキーと、また上記の鍵孔に挿し込まれるキーコード変換用の棒形のチェンジキーとを備え、上記の鍵孔の奥に、鍵孔に挿し込まれたチェンジキーの先端部と係合する孔を内筒の軸心位置に有してチェンジキーの回転操作で軸心を中心に一定角度づつ断続回転するリング状のプレートが設けられている。
【０００３】
而してこの場合、チェンジキーの先端部とプレートの孔との係合は、チェンジキーによってプレートを回してキーコードを変換する上で必要不可欠であるが、棒形のキーの先端部とプレートの孔との係合は、施開錠の上で、必要不可欠ではない。即ち、この従来品の場合、内筒は、棒形のキーの先端部がプレートの孔と係合しなくても、棒形のキーの周面の凹部とタンブラピンとのキーコードが一致すれば回転可能になるものである。そしてキーコードが一致し、且つ棒形のキーの先端部がプレートの孔と係合すると、内筒と一緒にプレートが所定の角度だけ棒形のキーによって回転されるのに過ぎない。
従って特許文献１に記載の従来品は、防犯性能の上では通常のシリンダ錠と同レベルであり、プレートを内蔵する構造が、防犯性能の向上に関係しているものではなかった。
【特許文献１】特許第３９７５４０４号公報
【発明の開示】
【発明が解決しようとする課題】
【０００４】
本発明は、このような従来技術の問題点に鑑み、提案されたものである。
従って本発明の解決しようとする技術的課題は、チェンジキーでリング状のプレートを回してキーコードを変換し、鍵違いを簡単に作ることができるよう形成したキーコード変換式シリンダ錠において、不正開錠に対する対策を高め、防犯性能が高くなるよう形成したキーコード変換式シリンダ錠を提供することにある。
【課題を解決するための手段】
【０００５】
本発明は、上記の課題を解決するため、次のような技術的手段を採る。
即ち本発明は、図１等に示されるように、前面に鍵孔１が開口されている内筒２と、この内筒２の鍵孔１に挿し込み方向が同一に規制されて挿し込まれる複数の棒形のキー３と、また上記の鍵孔１に挿し込まれるキーコード変換用の棒形のチェンジキー４とを備え、上記の鍵孔１の奥に、鍵孔１に挿し込まれたチェンジキー４の先端部と係合する孔７ａを内筒２の軸心位置に有してチェンジキー４の回転操作で軸心を中心に一定角度づつ断続回転するリング状のプレート７が設けられているキーコード変換式シリンダ錠であって、上記のプレート７の後側に、後方に向かって先細り状の円錐状部材１２がバネ１３でプレート７の後面に押し付けられて内筒２と軸心を同一にして設けられ、この円錐状部材１２のテーパー面１２ａに内端が当接する内側ピン１４が、内筒２の後端部に軸心と直交状に形成されている孔２ｅに収納され、この内側ピン１４の外端に内端が当接する外側ピン１５が内筒２を覆う外筒６に上記の孔２ｅと連通して延長状に形成されている連通孔６ｃに収納され、この外側ピン１５の外端側の上記の連通孔６ｃ内に外側ピン１５と内側ピン１４を内方に弾発するコイルバネ１６が収納され、上記の棒形のキー３の先端部とリング状のプレート７の孔７ａとが係合可能に形成され、リング状のプレート７の孔７ａを介して上記の棒形のキー３が挿し込まれ、円錐状部材１２がバネ１３の弾発力に抗して後方に押し込まれて内側ピン１４の内端が円錐状部材１２のテーパー面１２ａから外れると、内側ピン１４と外側ピン１５の接触位置が内筒２と外筒６のシェアーラインに一致して内筒２が回転可能に形成されていることを特徴とする（請求項１）。
【０００６】
本発明の場合、棒形のキー３及びチェンジキー４の軸部は、具体的には円筒形、断面四角形等の角筒形、円柱形、角柱形等に形成されるが、プレート７を先端部で断続回転可能に形成しているのであれば、その断面形状は任意である。また円錐状部材１２は、内筒２内において円滑に且つ安定的に摺動するよう、プレート７の後面に接する側が、所定の長さだけ筒状に形成されているのでも良い。なお本発明の場合、内筒２の後端部は、組立て上の都合から、通常、別部材で形成され、内筒２の本体部に連結されるが、このような構造に限定されるものではない。
【０００７】
また本発明は、円錐状部材１２が後方に移動して内筒２の後端部の内面に当接すると、内側ピン１４の内端が円錐状部材１２のテーパー面１２ａから外れる位置に内側ピン１４が位置決めされて設けられているのが好ましい（請求項２）。
なぜならこれによると、棒形のキー３を限度まで押し込むと内筒２が回転可能になり、押し込み位置が明確になり、使い勝手が良くなるからである。
【０００８】
また本発明は、内側ピン１４と外側ピン１５とでなる一組の組み合わせが、円錐状部材１２の軸心回りに、軸心の延長方向において位置がずらされて複数設けられているのでも良い（請求項３）。
なぜならこれによると、不正開錠が一層困難になり、防犯性を更に向上できるからである。
【発明の効果】
【０００９】
本発明は、このように棒形のキーで円錐状部材が押し込まれ、内側ピンの内端が円錐状部材のテーパー面から外れると、内側ピンと外側ピンの接触位置が内筒と外筒のシェアーラインに一致して内筒が回転可能になるよう形成されているものである。
従って本発明の場合は、棒形のキーと内筒のタンブラピンとのキーコードが一致するだけでは開錠しないため、これによると防犯性能の高いキーコード変換式シリンダ錠を提供できる。
【発明を実施するための最良の形態】
【００１０】
以下、本発明を実施するための最良の形態を説明する。
この実施形態に係る本発明は、図１等に示されるように、前面に鍵孔１が開口されている内筒２と、この内筒２の鍵孔１に挿し込み方向が同一に規制されて挿し込まれる３本の棒形のキー３と、また上記の鍵孔１に挿し込まれるキーコード変換用の棒形のチェンジキー４とを備えて形成されている。内筒２は、前側パーツ２ａと後側パーツ２ｂがピン２ｃで連結され、後面が塞がれている。
【００１１】
５は、円筒状の鍵孔１を形作るため、内筒２の軸心位置に内筒２の長手方向に沿って配置されている断面円形の軸棒である。内筒２は、図１Ａ等に示されるように、その周面にタンブラピン（図示せず）の収納孔２ｄが形成されている。
【００１２】
６は、内筒２に外装されている外筒（シリンダーケース）である。この外筒６には、ドライバーピン（図示せず）やコイル形バネ（図示せず）の収納孔６ａが形成され、この収納孔６ａは蓋６ｂで塞がれている。棒形のキー３及びチェンジキー４の軸部は、この実施形態では円筒形に形成されている。棒形のキー３の周面には、図１Ｂに示されるように、タンブラピンの先端が係合する凹部３ａが複数形成されている。また棒形のキー３には、鍵孔１の上下位置の切欠き１ａ（図６B参照）に係合するフィン状の係合片３ｂが上下一対状に形成され、この係合片３ｂで挿入方向が各キー３で同一になるよう形成されている。チェンジキー４は、棒形のキー３に形成されている上記の凹部３ａや係合片３ｂが省略されている。
【００１３】
７（図１、図２等参照）は、チェンジキー４の回転操作で軸心を中心に一定角度づつ断続回転するリング状のプレートである。このプレート７は、鍵孔１に挿し込まれたチェンジキー４の先端部と係合する孔７ａを内筒２の軸心位置に有し、鍵孔１の奥に設けられている。このプレート７の孔７ａは、図２等に示されるように、軸心を中心に一定角度（この実施形態では１２０度）づつ等間隔にあけて凸片部８が内方に突き出されて凹凸状に形成されている。チェンジキー４及び棒形のキー３は、その各先端部に、上記の凸片部８に係合する溝３１、４１が、各キー３、４の軸心を中心に周方向に一定角度（この実施形態では１２０度）づつ等間隔にあけて、且つ長手方向に延びて形成されている。そして棒形のキー３の溝３１は、各棒形のキー３について、断続回転するプレート７の一定角度（この実施形態では４０度）だけ、位置がずらされて形成されている。
【００１４】
また本発明の場合、プレート７を断続回転させるための機構は、図２、図３に示されるように、プレート７の背面に孔７ａの中心を基準にして一定角度（この実施形態では４０度）づつ等間隔にあけて円軌跡上に形成されている凹み９と、この凹み９のなかで更に一定角度（この実施形態では１２０度）づつ等間隔にあけた位置の凹み９に係合されている鋼球１０と、この鋼球１０を介してプレート７を前方に押圧し内筒２の前側パーツ２ａ（図１Ａ等参照）の後端面に圧着するため内筒２の軸心周りに軸方向に沿って設けられているコイルスプリング１１とで形成されている。また３本の棒形のキー３は、溝３１が軸心を中心に１２０度づつあけられて形成されると共に、上記の通り、各棒形のキー３について溝３１の形成位置が４０度づつずらされて形成されている。これにより本発明では、回転角度が１２０度で鍵違いになるキーコード変換システムが実現される。
【００１５】
１２は、後方に向かって先細り状の円錐状部材である。この円錐状部材１２は、上記のプレート７の後側に、バネ１３でプレート７の後面に押し付けられて内筒２と軸心を同一にして設けられている。
【００１６】
１４は、円錐状部材１２のテーパー面１２ａに内端が当接する内側ピンである。この内側ピン１４は、内筒２の後端部に軸心と直交状に形成されている孔２ｅに収納されている。またこの内側ピン１４は、上記の円錐状部材１２が後方に移動して内筒２の後端部の内面に当接すると、内端が円錐状部材１２のテーパー面１２ａから外れる位置に位置決めされて設けられている。
【００１７】
また１５は、内側ピン１４の外端に内端が当接する外側ピンである。この外側ピン１５は、内筒２を覆う外筒６に上記の孔２ｅと連通して延長状に形成されている連通孔６ｃに収納されている。また１６は、外側ピン１５と内側ピン１４を内方に弾発するコイルバネである。このコイルバネ１６は、外側ピン１５の外端側の連通孔６ｃ内に収納されている。
【００１８】
そして本発明は、上記のプレート７の孔７ａを介して上記の棒形のキー３が挿し込まれ、円錐状部材１２がバネ１３の弾発力に抗して後方に押し込まれて内側ピン１４の内端が円錐状部材１２のテーパー面１２ａから外れると、内側ピン１４と外側ピン１５の接触位置が内筒２と外筒６のシェアーラインに一致して内筒２が回転可能に形成されているものである。
【００１９】
次に本発明の作用を説明する。
先ず使用者は、棒形のキー３を鍵孔１に挿し込む。棒形のキー３は、鍵孔１の上下の切欠き１ａに係合片３ｂが係合することにより、鍵孔１に対しての挿し込み方向が何れの棒形のキー３とも、同一に規制される。そして棒形のキー３の溝３１が、プレート７の孔７ａに適合すると、棒形のキー３は所定位置まで深く挿入することが可能になる。そこで使用者は、この状態で棒形のキー３をバネ１３の弾発力に抗して押し込む。
【００２０】
而して円錐状部材１２が押し込まれると、図５に示されるように、この実施形態では円錐状部材１２の先端が内筒２の後端部の内面に当たり、それ以上の押し込みができなくなる。このとき内側ピン１４の内端は、円錐状部材１２のテーパー面１２ａから外れ、円錐状部材１２の最大径の周面位置に配置される。また内側ピン１４と外側ピン１５の接触位置が、内筒２と外筒６のシェーラインに一致する。また円錐状部材１２が最深位置まで挿し込まれると、周面の凹部３ａにタンブラピンが係合してキーコードが一致する。これにより棒形のキー３は、回転が可能になり、施開錠できるようになる。
【００２１】
なお本発明において、キーコードの変換手順、変換作用は次ぎの通りである。
先ず使用者が、チェンジキー４を鍵孔１に挿し込み、チェンジキー４にコイルスプリング１１の弾発力を超える押圧力と回転力を加える。すると、鋼球１０の位置の凹み９が鋼球１０から外れ、例えば垂直線上の基準位置の凹み９が４０度回転し、また基準位置からマイナス４０度（時計方向に３２０度）の位置の凹み９が基準位置に回転して鋼球１０と係合する。プレート７は、これにより基準位置から４０度ずらされる。
【００２２】
この場合、チェンジキー４は、棒形のキー３とは異なり、凹部３ａや係合片３ｂを省略した形状である。従ってチェンジキー４は、内筒２との関わりがなく（内筒２を回転させることなく）、３６０度正逆方向に回転可能である。プレート７は、このようにしてチェンジキー４により回転され、４０度ごと断続回転する。従ってプレート７は、凸片部８の位置が４０度づつ変わり、４０度づつキーコードが変換する。そしてプレート７が４０度づつ回転してキーコードが変換することにより、この実施形態に係る本発明は第１番目のキーから第３番目のキーまでの、３本の棒形のキー３を、鍵違いとして使用できるものである。
【００２３】
以上の処において、本発明は、例えば図７に示されるように、内側ピン１４と外側ピン１５とでなる一組の組み合わせが、円錐状部材１２の軸心回りに、軸心の延長方向において位置がずらされて複数設けられているのでも良い。この実施形態では一組の組み合わせが円錐状部材１２の軸心回りに９０度ずらされて２組設けられている例である。
この本発明の場合、棒形のキー３が所定の深さまで挿し込まれると、図８に示されるように、内側ピン１４と外側ピン１５の接触位置が、内筒２と外筒６のシェアラインに一致し、内筒２が回転可能に、換言すると施開錠が可能になるものである。
【図面の簡単な説明】
【００２４】
【図１】本発明のシリンダ錠の好適な一実施形態を示し、Ａは図６ＡのＩＡ−ＩＡ線における断面図、Ｂは棒形のキーの要部側面図、Ｃはチェンジキーの要部側面図である。
【図２】プレートの背面図である。
【図３】鋼球の配置位置とチェンジキーの挿し込まれた状態を示すプレートの背面図である。
【図４】図３のＩＶ―ＩＶ線における断面図である。
【図５】本発明のシリンダ錠の作用を説明するための断面図である。
【図６】内筒を示し、Ａは側面図、Ｂは正面図、Ｃは背面図である。
【図７】同上シリンダ錠の他の実施形態を示す要部断面図である。
【図８】図７の実施形態の作用を説明するための要部断面図である。
【符号の説明】
【００２５】
１      鍵孔
２      内筒
２ｅ    孔
３      棒形のキー
４      チェンジキー
５      軸棒
６      外筒
６ｃ    連通孔
７      プレート
７ａ    孔
１２    円錐状部材
１２ａ  テーパー面
１３    バネ
１４    内側ピン
１５    外側ピン
１６    コイルバネ
【図１】
0004538492.tif 000002
【図２】
0004538492.tif 000003
【図３】
0004538492.tif 000004
【図４】
0004538492.tif 000005
【図５】
0004538492.tif 000006
【図６】
0004538492.tif 000007
【図７】
0004538492.tif 000008
【図８】
0004538492.tif 000009